(57)【要約】【課題】  蒸れを防止するための工夫が凝らされたヘルメットは従来、ヘルメットと一体不可分のものであったり、構造が複雑であったりするため、既に所有している一般的なヘルメットに簡単に取り付けることができなかったし、高価なものしかなかった。【解決手段】  外気を導入することで内部の換気を行うための送風機であって、外部と該内部とを仕切る遮蔽板の端縁を挟持するグリップ部を有する筐体内には、該外部の空気を吸引するためのファン、電池格納部が配置されており、該筐体表面にはスイッチ、該ファンによって吸引された空気を該内部に吐出するため該内部に開口部が向けられた送風ノズル、が設けられている。なお、このような構造の送風器はヘルメット以外の用途にも供し得るものである。【選択図】  図１
2005240211.tif 000002
【特許請求の範囲】
【請求項１】
外気を導入することで内部の換気を行うための送風機であって、外部と該内部とを仕切る遮蔽板の端縁を挟持するグリップ部を有する筐体内には、該外部の空気を吸引するためのファン、電池格納部が配置されており、該筐体表面にはスイッチ、該ファンによって吸引された空気を該内部に吐出するため該内部に開口部が向けられた送風ノズル、が設けられているものであることを特徴とする送風器。
【請求項２】
該筐体と該送風ノズルとは、対向しつつ間隙部を有してＪ字状或いはＵ字状に配置されており、該外部と該内部とを仕切る遮蔽板の端縁は、該間隙部に差し込まれ、該筐体の該送風ノズルに対向する面には面ファスナーが固定されているものである請求項１記載の送風器。
【発明の詳細な説明】
【技術分野】
【０００１】
本発明は、例えばヘルメットの内部空間、安全靴の内部空間、等々の蒸れを軽減するために、その内外を隔てる遮蔽板に設置する送風器の構造に関するものである。
【背景技術】
【０００２】
安全を第一の目的で製造されるヘルメットは、それが工事用のものであろうがオートバイ用のものであろうが、装着感の良いものではない。特に夏季は、蒸れが加わり状況は劣悪なものとなる。
【０００３】
このような状況を回避するために、これまで種々の改良が提案され市販もされている。例えば、ヘルメットに透孔を設け、器具を用いたりオートバイ走行中に受ける風圧を利用してヘルメット内部空間の換気を行うものがある。更に、空気冷却装置を具備し冷気を導入するタイプのものも提案されている。
【特許文献１】特開２００１−０８９９２６
【特許文献２】特開２０００−２３４２１３
【発明の開示】
【発明が解決しようとする課題】
【０００４】
しかし、従来のそうした機構は、ヘルメットと一体不可分のものであったり、構造が複雑であったりするため、既に所有している一般的なヘルメットに簡単に取り付けることができなかったし、高価なものであった。
【課題を解決するための手段】
【０００５】
以上のような現状に鑑み、本発明者は長年鋭意研究の結果遂に本発明を成したものであり、その特徴とするところは、外気を導入することで内部の換気を行うための送風機であって、外部と該内部とを仕切る遮蔽板の端縁を挟持するグリップ部を有する筐体内には、該外部の空気を吸引するためのファン、電池格納部が配置されており、該筐体表面にはスイッチ、該ファンによって吸引された空気を該内部に吐出するため該内部に開口部が向けられた送風ノズル、が設けられている点にある。
【０００６】
なお本発明の対象は、着脱が容易で構造がシンプルなヘルメット用送風器を開発することに端を発しているが、その後その利便性はヘルメット内部空間の換気という当初の用途以外にも好適に適用できることが判明した。即ち、完全には閉じられていない限られた空間があってそれが遮蔽板によって隔てられていれば、基本的に本発明送風器を以て換気が可能となる。例を挙げると、耐火服、靴（安全靴）、自動車室内、等々である。例えば靴（安全靴）の場合であると靴革が遮蔽板となり、自動車室内の場合であると開閉ガラスが遮蔽板となる。
【発明の効果】
【０００７】
本発明に係る送風器は、以下述べる如き効果を有する。
（１）  内外を隔てる遮蔽板の端縁に掛けるだけで簡単に換気を行うことができ、設置に当たって対象物本体（ヘルメットなど）を改造する必要がない。
（２）  取り外しが容易であるので必要な時・時期にだけ設置することができる。
（３）  構造がシンプルであるので安価、軽量な製品を提供しやすい。
【発明を実施するための最良の形態】
【０００８】
以下図面に基づいて本発明をより詳細に説明する。
【実施例１】
【０００９】
図１は、本発明に係る送風器１（以下「本発明送風器１」という）の一例を示すものであり、図より明らかなように本発明送風機１は、筐体２と送風ノズル３とを概ね「Ｊ」字形に配置した全体形状の器具であり、筐体２表面には面ファスナー２１、スイッチ２２が設けられている。送風ノズル３は湾曲した流路を有しており、吐出される空気の方向は筐体２に概ね沿うものとなっている。
【００１０】
図２は、図１で示した送風器の概略断面図であり、筐体２内に乾電池Ｂ（本例では９Ｖ形積層乾電池）及びファン４が内蔵されている。なお、乾電池Ｂとファン４、スイッチ２２とは導線その他で接続されているが図示を省略している。またファン４は、フィルターを伴っており、簡単に交換ができるような構造となっているがそれについても図示は省略している。
【００１１】
図３は、本発明送風器１をヘルメットＨに装着した状態を概略的に示すものである。ヘルメットＨの後端縁には面ファスナーＦが予め貼付されている必要があるが、除去に際してヘルメットの躯体を損壊させるような強度の貼着力は必要ではなく、やや強力な粘着剤による貼付で充分機能する。
本発明送風器１の設置作業は、筐体２と送風ノズル３の間にヘルメットＨ後端を差し込むようにし、筐体２側の面ファスナー２１とヘルメットＨ側の面ファスナーＦとを接合するだけである。このようにしてスイッチ２２を入れると、外気がヘルメットＨの内部空間に導入されることとなり、これを換気と考えると、ヘルメットＨによって隔てられた空間の換気となり、ヘルメットＨが「遮蔽板」であるということになる。
【００１２】
ヘルメットＨ内には外気が導入されることになるが、導入された空気が内部空間（頭部とヘルメットＨとの隙間）にうまく拡散されるように、図４の如く送風ノズル３の出口近くに、拡散反射板３１を配置しておくと好適である。なお図示した拡散反射板３１は、２枚の板をＶ字形に形成させたものであるが、このほかにも様々な構造・形状のものが採用可能である。
【００１３】
またスイッチ２２は、本発明送風器１設置後手動でＯＮ状態にし、換気終了後にも手動でＯＦＦにするものであるが、図５のように、筐体２と送風ノズル３の隙間にスイッチ２２を配置し、ヘルメットＨの鍔等の遮蔽体をここに挿通させた時にスイッチが入り、抜き取った時に切れるようにしておくと、ＯＮ−ＯＦＦが自動化されることになるし、この隙間が狭い場合には誤動作を防止することにもなる。
【図面の簡単な説明】
【００１４】
【図１】本発明に係る送風器の一例を示す概略斜視図である。
【図２】本発明に係る送風器の一例を示す概略断面図である。
【図３】本発明に係る送風器の使用状態の一例を示す概略断面図である。
【図４】本発明に係る送風器の送風ノズル部分についての他の一例を示す概略斜視図である。
【図５】本発明に係る送風器の他の一例を示す概略側面図である。
【符号の説明】
【００１５】
１    本発明に係る送風器
２    筐体
２１  面ファスナー
２２  スイッチ
３    送風ノズル
３１  拡散反射板
４    ファン
Ｈ    ヘルメット
Ｆ    面ファスナー
【図１】
2005240211.tif 000003
【図２】
2005240211.tif 000004
【図３】
2005240211.tif 000005
【図４】
2005240211.tif 000006
【図５】
2005240211.tif 000007